(57)【特許請求の範囲】
【請求項１】
不燃性の横長矩形状樹脂シート体（４）と、該樹脂シート体（４）の上辺（４Ａ）・下辺（４Ｄ）に取付けられる上下一対の上辺枠材（１１）・下辺枠材（１２）、及び、上記樹脂シート体（４）の左辺（４Ｂ）・右辺（４Ｃ）の一方にのみ設けられる側辺枠材（１３）を有する単位パネル部材（１）を備え、上記上辺枠材（１１）・下辺枠材（１２）及び上記側辺枠材（１３）は、プレス加工によって、金属板材を折り曲げて断面Ｕ字状に形成され、上記樹脂シート体（４）を差込んで止着するための差込みスリット（７）を有し、該差込みスリット（７）の開口幅寸法（Ｗ０）を、上記樹脂シート体（４）の厚さ寸法（ｔ１）と同一の大きさに設定し、
上記単位パネル部材（１）の上記樹脂シート体（４）の残り一辺を差込むための狭幅凹溝部（８）と、上記側辺枠材（１３）を差込むための広幅凹溝部（９）とを、一体に有し、かつ、吊下ボルト（１５）が上下貫通状に挿入され天井側固定部材（Ｆ）に固着される中継枠材（３）を備え、該中継枠材（３）は、プレス加工によって、金属板材を複数回にわたって折り曲げて断面脚長Ｍ字状に形成され、上記狭幅凹溝部（８）の開口幅寸法（Ｗ１）を、上記樹脂シート体（４）の厚さ寸法（ｔ１）と同一の大きさに設定し、上記広幅凹溝部（９）の開口幅寸法（Ｗ２）を、上記側辺枠材（１３）の厚さ寸法（ｔ０）と同一の大きさに設定し、
隣り合って並設される上記単位パネル部材（１）（１）の間に上記中継枠材（３）を介設し、一の単位パネル部材（１）の上記樹脂シート体（４）の残り一辺を上記中継枠材（３）の上記狭幅凹溝部（８）に差込み、さらに、隣の単位パネル部材（１）の上記側辺枠材（１３）を上記広幅凹溝部（９）に差込んで、複数枚の上記単位パネル部材（１）（１）を順次連結して構成したことを特徴とする防煙垂れ壁。
【請求項２】
上記中継枠材（３）は、その下端部（３Ａ）に、上記単位パネル部材（１）の上記下辺枠材（１２）の両端部（１２ａ）（１２ｂ）を支持する断面Ｕ字状支持部材（６）を有している請求項１記載の防煙垂れ壁。
【請求項３】
上記中継枠材（３）は、上記広幅凹溝部（９）の奥行深さ寸法（Ｌ２）を、上記側辺枠材（１３）の差込長さ寸法（Ｌ０）よりも大きく設定し、上記広幅凹溝部（９）に上記側辺枠材（１３）を差し込んだ状態下で、上記広幅凹溝部（９）の最奥部（１９）に、上記吊下ボルト（１５）を挿通するように構成されている請求項１又は２記載の防煙垂れ壁。
【発明の詳細な説明】
【技術分野】
【０００１】
本発明は、防煙垂れ壁に関する。
【背景技術】
【０００２】
火災発生時に、煙の拡散を抑制して安全に避難するための時間を稼ぐ設備として、天井から所定の高さ寸法（上下寸法）をもって垂れ下がる防煙垂れ壁が使用されていた（特許文献１参照）。
特許文献１記載の防煙垂れ壁は、複数枚の板ガラスを備え、天井に固着したフレームに板ガラスを吊り下げて支持していた。
【先行技術文献】
【特許文献】
【０００３】
【特許文献１】特許第３７５０１９３号公報
【発明の概要】
【発明が解決しようとする課題】
【０００４】
しかし、従来の防煙垂れ壁は、火災発生時に避難の障害となる高温で有毒の煙の拡散を抑制するのに有用であるが、地震の揺れによって、吊り下げた板ガラスが落下する虞れがあり、非常に危険であった。分厚く、重量の大きい板ガラスが天井付近の高さから落下すると、人に接触して重大な被害が発生する危険性があり、また、板ガラスが割れて破片が床一面に散乱すると、避難経路を寸断してしまうという欠点があった。
【０００５】
そこで、本発明は、地震発生時でも安全な防煙垂れ壁を提供することを目的とする。
【課題を解決するための手段】
【０００６】
本発明に係る防煙垂れ壁は、不燃性の横長矩形状樹脂シート体と、該樹脂シート体の上辺・下辺に取付けられる上下一対の上辺枠材・下辺枠材、及び、上記樹脂シート体の左辺・右辺の一方にのみ設けられる側辺枠材を有する単位パネル部材を備え、上記上辺枠材・下辺枠材及び上記側辺枠材は、プレス加工によって、金属板材を折り曲げて断面Ｕ字状に形成され、上記樹脂シート体を差込んで止着するための差込みスリットを有し、該差込みスリットの開口幅寸法を、上記樹脂シート体の厚さ寸法と同一の大きさに設定し、上記単位パネル部材の上記樹脂シート体の残り一辺を差込むための狭幅凹溝部と、上記側辺枠材を差込むための広幅凹溝部とを、一体に有し、かつ、吊下ボルトが上下貫通状に挿入され天井側固定部材に固着される中継枠材を備え、該中継枠材は、プレス加工によって、金属板材を複数回にわたって折り曲げて断面脚長Ｍ字状に形成され、上記狭幅凹溝部の開口幅寸法を、上記樹脂シート体の厚さ寸法と同一の大きさに設定し、上記広幅凹溝部の開口幅寸法を、上記側辺枠材の厚さ寸法と同一の大きさに設定し、隣り合って並設される上記単位パネル部材の間に上記中継枠材を介設し、一の単位パネル部材の上記樹脂シート体の残り一辺を上記中継枠材の上記狭幅凹溝部に差込み、さらに、隣の単位パネル部材の上記側辺枠材を上記広幅凹溝部に差込んで、複数枚の上記単位パネル部材を順次連結して構成したものである。
【０００７】
また、上記中継枠材は、その下端部に、上記単位パネル部材の上記下辺枠材の両端部を支持する断面Ｕ字状支持部材を有しているものである。
また、上記中継枠材は、上記広幅凹溝部の奥行深さ寸法を、上記側辺枠材の差込長さ寸法よりも大きく設定し、上記広幅凹溝部に上記側辺枠材を差し込んだ状態下で、上記広幅凹溝部の最奥部に、上記吊下ボルトを挿通するように構成されているものである。
【発明の効果】
【０００８】
本発明の防煙垂れ壁によれば、薄くて重量の小さい樹脂シート体をもって煙の拡散を防止でき、地震発生時でも落下の危険性が小さく、落下したとしても被害を最小限に抑えることができる。複数枚の単位パネルを連結した構造であるので、取付作業が容易であり、施工時間を短縮できる。
【図面の簡単な説明】
【０００９】
【図１】本発明の実施の一形態を示した正面図である。
【図２】単位パネルを示した拡大正面図である。
【図３】図２の単位パネルの断面図であり、（Ａ）はＡ−Ａ拡大断面図、（Ｂ）はＢ−Ｂ拡大断面図、（Ｃ）はＣ−Ｃ拡大断面図、（Ｄ）はＤ−Ｄ拡大断面図である。
【図４】防煙垂れ壁を示した拡大正面図である。
【図５】中継枠材を示した拡大横断面図である。
【図６】中継枠材を示した拡大縦断面図である。
【発明を実施するための形態】
【００１０】
以下、実施の形態を示す図面に基づき本発明を詳説する。
図１に示すように、本発明の防煙垂れ壁は、火災発生時に煙の流動を妨げるように、天井側（固定部材Ｆ）からの高さ寸法（上下寸法）Ｈ０（建築基準法で定められた所定寸法５００ｍｍ以上）をもって垂設される防煙区画用の垂下壁である。
図２と図３に示すように、本発明の防煙垂れ壁は、不燃性の横長矩形状樹脂シート体４と、樹脂シート体４の上辺４Ａ・下辺４Ｄに取付けられる上下一対の上辺枠材１１・下辺枠材１２、及び、樹脂シート体４の左辺４Ｂ・右辺４Ｃの一方にのみ設けられる側辺枠材１３を有する単位パネル部材１を備えている。
【００１１】
図２と図３では、単位パネル部材１は、幅寸法Ｗ（長辺の長さ寸法）が２０００ｍｍ、高さ寸法Ｈ（短辺の長さ寸法）が５００ｍｍの長方形状に形成されている。
樹脂シート体４は、火災時以外は防煙の役目を果たさないので、目立たないように透明乃至半透明の不燃性の樹脂シートで構成され、その厚さ寸法ｔ１は、０．５ｍｍ〜１．０ｍｍである。樹脂シート体４は、従来の板ガラスに比較して非常に薄く、重量も小さい（同一面積の板ガラスと比較して約１／１０倍以下）ので、天井付近の高さから落下しても割れることがない。
【００１２】
上辺枠材１１・下辺枠材１２及び側辺枠材１３は、断面Ｕ字状に形成され、樹脂シート体４を差込んで止着するための差込みスリット７を各々に有している。差込みスリット７の開口幅寸法Ｗ０は、樹脂シート体４の厚さ寸法ｔ１と同一の大きさに設定している。
上辺枠材１１と下辺枠材１２は、樹脂シート体４の上辺４Ａ・下辺４Ｄに沿って配設され、樹脂シート体４の上下の周端縁部を差込みスリット７に嵌め込んでいる。側辺枠材１３は、樹脂シート体４の右辺４Ｃに配設され、樹脂シート体４の右側の周端縁部を差込みスリット７に嵌め込んでいる。即ち、上辺枠材１１・下辺枠材１２と側辺枠材１３は、樹脂シート体４の３辺に取付けられた状態で、コ字状の枠体２を構成している。なお、上辺枠材１１・下辺枠材１２と側辺枠材１３は、樹脂シート体４の周端縁部を差込みスリット７に差し込んだ後、リベットによる鋲着や局部的な圧潰等の方法によって樹脂シート体４が外れないように止着している。なお、図２の単位パネル部材１に於て、樹脂シート体４の左辺４Ｂには枠材が設けられておらず、樹脂シート体４の左辺４Ｂを成す周端縁部は露出している。上辺枠材１１・下辺枠材１２と側辺枠材１３は、軽量の材料にて構成するのが好ましい。例えば、上辺枠材１１・下辺枠材１２と側辺枠材１３は、厚さ寸法が１．０ｍｍ〜１．５ｍｍのアルミニウム合金板材をＵ字状に折り曲げて形成する。
【００１３】
また、図４と図５に示すように、本発明の防煙垂れ壁は、樹脂シート体４の左辺４Ｂ・右辺４Ｃの他方を差込むための狭幅凹溝部８と、側辺枠材１３を差込むための広幅凹溝部９とを、一体に有する中継枠材３を備えている。中継枠材３は、吊下ボルト１５が上下貫通状に挿入されて天井側固定部材Ｆに固着されている。
中継枠材３は、厚さ寸法が１．０ｍｍ〜１．５ｍｍのアルミニウム合金板材を、プレス加工によって、複数回にわたって折り曲げて形成されている。中継枠材３は、側辺枠材１３と同一の厚さ寸法を有するアルミニウム合金板材をもって製作されている。図５でも明らかなように、中継枠材３の厚さ寸法ｔ２は、極めて小さい。即ち、中継枠材３は、薄い。
【００１４】
中継枠材３は、狭幅凹溝部８の開口幅寸法Ｗ１を、樹脂シート体４の厚さ寸法ｔ１と同一の大きさに設定している。また、広幅凹溝部９の開口幅寸法Ｗ２を、側辺枠材１３の厚さ寸法ｔ０と同一の大きさに設定している。
図５に示す断面図に於て、中継枠材３は、狭幅凹溝部８が形成される右側端部にて、内側に向けて密に折り返されて、次に、中央より右寄りの位置で開口幅寸法Ｗ１をもってＵ字状に折り曲げられ、そして、右側端部にて密に折り返されている。つまり、中継枠材３の右側端部には、狭幅凹溝部８が一対の２重折り畳み部をもって形成され、狭幅凹溝部８に樹脂シート体４を差し込んで（直接的に）保持するように構成されている。一方、中継枠材３の左側端部には、広幅凹溝部９が一対のストレート延伸部をもって開口幅寸法Ｗ２で形成され、広幅凹溝部９に（Ｕ字状の）側辺枠材１３を差し込んで嵌着することで、樹脂シート体４を間接的に保持するように構成されている。
【００１５】
また、中継枠材３は、広幅凹溝部９の奥行深さ寸法Ｌ２を、側辺枠材１３の差込長さ寸法Ｌ０よりも大きく設定し、広幅凹溝部９に側辺枠材１３を差し込んだ状態下で、広幅凹溝部９の最奥部１９に、吊下ボルト１５を挿通するように構成されている。
中継枠材３は、広幅凹溝部９の最奥部１９に吊下ボルト１５を収納し、さらに、広幅凹溝部９に側辺枠材１３を差し込んで嵌着されている。
【００１６】
図４と図６に示すように、中継枠材３は、その下端部３Ａに、単位パネル部材１の下辺枠材１２の両端部１２ａ，１２ｂを支持する断面Ｕ字状支持部材６を有している。
支持部材６は、水平壁部６Ａに鉛直壁部６Ｂ，６Ｂを上向けに立設し、水平壁部６Ａの中央に吊下ボルト１５を挿通するための貫孔６Ｃが形成されている。
吊下ボルト１５は、ヘッド１５Ａを有し、かつ、連結軸部の先端寄りに雄ねじ部１５Ｂを有し、雄ねじ部１５Ｂに係止部材１６が螺着されている。
支持部材６の貫孔６Ｃに吊下ボルト１５を挿入すると共に、中継枠材３の下方から吊下ボルト１５を挿通させ、天井側固定部材Ｆに埋め込んだ係止部材１６に吊下ボルト１５を取着して、中継枠材３を支持している。
なお、本発明の防煙垂れ壁の下縁には、その全長にわたって化粧カバー１４が取付けられている。化粧カバー１４は、支持部材６の外側に外嵌され、吊下ボルト１５のヘッド１５Ａを収納している。また、断面視での図示は省略するが、単位パネル部材１の下縁領域では、下辺枠材１２が化粧カバー１４に収納されている。
【００１７】
図１と図４に示すように、本発明の防煙垂れ壁は、複数個の中継枠材３を所定等ピッチで並設すると共に、樹脂シート体４の左辺４Ｂ・右辺４Ｃの他方を狭幅凹溝部８に差込み、側辺枠材１３を広幅凹溝部９に順次差込んで、複数枚の単位パネル部材１を連結して構成したものである。
中継枠材３は、単位パネル部材１の幅寸法Ｗに対応して天井側固定部材Ｆに複数個並べて固着され、予め組み立てておいた複数個の単位パネル部材１を中継枠材３に次々と連結していく。図４では、樹脂シート体４の右辺４Ｃに取付けた側辺枠材１３を、中継枠材３の広幅凹溝部９に差込み、かつ、樹脂シート体４の左辺４Ｂを、中継枠材３の狭幅凹溝部８に差し込んでいる。
【００１８】
なお、本発明は、設計変更可能であって、図示省略するが、単位パネル部材１は、樹脂シート体４の左辺４Ｂに側辺枠材１３を取付け、樹脂シート体４の右辺４Ｃを露出させたものであって良い。この場合、中継枠材３を左右逆向けにして天井側固定部材Ｆに固着し、同様に、複数個の単位パネル部材１を中継枠材３に次々と連結する。
【００１９】
以上のように、本発明に係る防煙垂れ壁は、不燃性の横長矩形状樹脂シート体４と、樹脂シート体４の上辺４Ａ・下辺４Ｄに取付けられる上下一対の上辺枠材１１・下辺枠材１２、及び、樹脂シート体４の左辺４Ｂ・右辺４Ｃの一方にのみ設けられる側辺枠材１３を有する単位パネル部材１を備え、樹脂シート体４の左辺４Ｂ・右辺４Ｃの他方を差込むための狭幅凹溝部８と、側辺枠材１３を差込むための広幅凹溝部９とを、一体に有し、かつ、吊下ボルト１５が上下貫通状に挿入され天井側固定部材Ｆに固着される中継枠材３を備え、複数個の中継枠材３を所定等ピッチで並設すると共に、樹脂シート体４の左辺４Ｂ・右辺４Ｃの他方を狭幅凹溝部８に差込み、側辺枠材１３を広幅凹溝部９に順次差込んで、複数枚の単位パネル部材１を連結して構成したので、薄くて重量の小さい樹脂シート体４をもって煙の拡散を防止でき、地震発生時でも落下の危険性が小さく、落下したとしても被害を最小限に抑えることができる。複数枚の単位パネル部材１を連結した構造であるので、取付作業が容易であり、施工時間を短縮できる。
【００２０】
また、中継枠材３は、その下端部３Ａに、単位パネル部材１の下辺枠材１２の両端部１２ａ，１２ｂを支持する断面Ｕ字状支持部材６を有しているので、単位パネル部材１を確実に保持することができ、地震発生時の落下の危険性を低減できる。
【００２１】
また、上辺枠材１１・下辺枠材１２及び側辺枠材１３は、断面Ｕ字状に形成され、樹脂シート体４を差込んで止着するための差込みスリット７を各々に有し、差込みスリット７の開口幅寸法Ｗ０を、樹脂シート体４の厚さ寸法ｔ１と同一の大きさに設定しているので、樹脂シート体４の周端縁部を差込みスリット７に差込むだけで上辺枠材１１と下辺枠材１２及び側辺枠材１３を容易に取り付けることができる。上辺枠材１１と下辺枠材１２及び側辺枠材１３の厚みを薄くでき、安価に製造できる。また、単位パネル部材１を軽量化でき、かつ、見た目も良い。
【００２２】
また、中継枠材３は、狭幅凹溝部８の開口幅寸法Ｗ１を、樹脂シート体４の厚さ寸法ｔ１と同一の大きさに設定し、広幅凹溝部９の開口幅寸法Ｗ２を、側辺枠材１３の厚さ寸法ｔ０と同一の大きさに設定しているので、樹脂シート体４の左辺４Ｂ・右辺４Ｃの他方を狭幅凹溝部８に差込むだけで、容易に単位パネル部材１を中継枠材３に取り付けることができる。また、側辺枠材１３を広幅凹溝部９に差込むだけで、容易に単位パネル部材１を中継枠材３に取り付けることができる。中継枠材３の厚みを極めて薄くでき、安価に製造できる。中継枠材３を軽量化でき、かつ、見た目も良い。
【００２３】
また、中継枠材３は、広幅凹溝部９の奥行深さ寸法Ｌ２を、側辺枠材１３の差込長さ寸法Ｌ０よりも大きく設定し、広幅凹溝部９に側辺枠材１３を差し込んだ状態下で、広幅凹溝部９の最奥部１９に、吊下ボルト１５を挿通するように構成されているので、中継枠材３をコンパクト化でき、安価に製造できる。中継枠材３を軽量化でき、かつ、見た目も良い。
【符号の説明】
【００２４】
１  単位パネル部材
３  中継枠材
３Ａ  下端部
４  樹脂シート体
４Ａ  上辺
４Ｂ  左辺
４Ｃ  右辺
４Ｄ  下辺
６  支持部材
７  差込みスリット
８  狭幅凹溝部
９  広幅凹溝部
１１  上辺枠材
１２  下辺枠材
１２ａ，１２ｂ  両端部
１３  側辺枠材
１５  吊下ボルト
１９  最奥部
Ｆ  天井側固定部材
Ｗ０  開口幅寸法
Ｗ１  開口幅寸法
Ｗ２  開口幅寸法
ｔ０  厚さ寸法
ｔ１  厚さ寸法
Ｌ０  差込長さ寸法
Ｌ２  奥行深さ寸法
【図１】
0005447888.tif 000002
【図２】
0005447888.tif 000003
【図３】
0005447888.tif 000004
【図４】
0005447888.tif 000005
【図５】
0005447888.tif 000006
【図６】
0005447888.tif 000007